(57)【要約】【課題】  装置に高い防水性、防湿性を必要としない。浴室及び脱衣室の脱臭・防カビを簡単な構成で効果的に行う。【解決手段】  水粒子放出部１と、該水粒子放出部１と対向する対向電極２と、水粒子放出部１に水を供給するための水供給手段３と、水粒子放出部１と対向電極２との間に高電圧を印加する電圧印加部４とを備える。水粒子放出部１と対向電極２との間に高電圧を印加することで水粒子放出部１の水からナノメータサイズの帯電微粒子水を生成する静電霧化装置５を構成する。静電霧化装置５を脱衣室２４に配置する。脱衣室２４から浴室２５に出入するための浴室ドア２７に通気用隙間２８を形成する。浴室２５に換気装置２６を設ける。換気装置２６の運転に脱衣室２４に配置した静電霧化装置５を連動させて換気装置２６の運転時に静電霧化装置５が同時に運転されるように構成する。【選択図】        図１
2006061408.tif 000002
【特許請求の範囲】
【請求項１】
水粒子放出部と、該水粒子放出部と対向する対向電極と、水粒子放出部に水を供給するための水供給手段と、水粒子放出部と対向電極との間に高電圧を印加する電圧印加部とを備え、水粒子放出部と対向電極との間に高電圧を印加することで水粒子放出部の水からナノメータサイズの帯電微粒子水を生成する静電霧化装置を構成し、上記静電霧化装置を脱衣室に配置し、脱衣室から浴室に出入するための浴室ドアに通気用隙間を形成し、浴室に換気装置を設け、換気装置の運転に脱衣室に配置した静電霧化装置を連動させて換気装置の運転時に静電霧化装置が同時に運転されるように構成して成ることを特徴とする脱衣室及び浴室の脱臭・防カビ装置。
【請求項２】
浴室ドアの脱衣室側の面に静電霧化装置を取付けて成ることを特徴とする請求項１記載の脱衣室及び浴室の脱臭・防カビ装置。
【請求項３】
換気装置の運転停止状態において静電霧化装置をオン、オフするための静電霧化装置用のスイッチを設けて成ることを特徴とする請求項１又は請求項２記載の脱衣室及び浴室の脱臭・防カビ装置。
【請求項４】
水粒子放出部に水を供給するための水供給手段が空気中の水分を結露させることで水の供給を行う結露水生成装置であることを特徴とする請求項1乃至請求項３のいずれかに記載の脱衣室及び浴室の脱臭・防カビ装置。
【請求項５】
結露水生成装置で生成する単位時間当たりの結露水の生成量を、静電霧化装置で生成される単位時間当たりのナノメータサイズの帯電微粒子水の生成量よりも多くして成ることを特徴とする請求項４記載の脱衣室及び浴室の脱臭・防カビ装置。
【請求項６】
ファンにより吸気口から空気を吸い込んで放出口から室内に吐出するようにした流路を形成し、該流路に上流側から下流側にかけて順にフィルタ、静電霧化装置を配置して成ることを特徴とする請求項1乃至請求項５のいずれかに記載の脱衣室及び浴室の脱臭・防カビ装置。
【発明の詳細な説明】
【技術分野】
【０００１】
本発明は、ナノメータサイズの帯電微粒子水で脱衣室及び浴室の脱臭・防カビを行うための技術に関するものである。
【背景技術】
【０００２】
従来から浴室内にクラスター生成装置を配置し、クラスター生成装置により殺菌効果を有する薬液を入れた水を破砕して微細な霧状のクラスターを生成し、浴室内に吹出し、クラスターによって入浴者にリラックス効果を与えると共に薬液の殺菌効果により浴室内を殺菌するようにしたものが特許文献１により知られている。
【０００３】
ところが、この従来例にあっては、浴室内にクラスター生成装置を配置するものであるから、防水、防湿に対応できる構造とする必要があり、また、浴室内においてのみ効果を有し、脱衣室に対しては何ら効果がない。しかも、上記従来例にあっては、脱臭効果はなく、更に、殺菌効果を有する薬液を補給する手間が必要となるという問題がある。
【０００４】
そこで、上記の従来例のように、高い防水性、防湿性を必要とせず、しかも、浴室及び脱衣室の両室の脱臭・防カビを簡単な構成で効果的行うことが望まれているのが現状である。
【特許文献１】特開２００４−５７５６９号公報
【発明の開示】
【発明が解決しようとする課題】
【０００５】
本発明は上記の従来の問題点に鑑みて発明したものであって、装置に高い防水性、防湿性を必要とせず、しかも、浴室及び脱衣室の両室の脱臭・防カビを簡単な構成で効果的に行うことができる脱衣室及び浴室の脱臭・防カビ装置を提供することを課題とするものである。
【課題を解決するための手段】
【０００６】
上記課題を解決するために本発明に係る脱衣室及び浴室の脱臭・防カビ装置は、水粒子放出部１と、該水粒子放出部１と対向する対向電極２と、水粒子放出部１に水を供給するための水供給手段３と、水粒子放出部１と対向電極２との間に高電圧を印加する電圧印加部４とを備え、水粒子放出部１と対向電極２との間に高電圧を印加することで水粒子放出部１の水からナノメータサイズの帯電微粒子水を生成する静電霧化装置５を構成し、上記静電霧化装置５を脱衣室２４に配置し、脱衣室２４から浴室２５に出入するための浴室ドア２７に通気用隙間２８を形成し、浴室２５に換気装置２６を設け、換気装置２６の運転に脱衣室２４に配置した静電霧化装置５を連動させて換気装置２６の運転時に静電霧化装置５が同時に運転されるように構成して成ることを特徴とするものである。
【０００７】
浴室２５に設けた換気装置２６を運転して浴室２５内の空気を排気すると、脱衣室２４内の空気が浴室ドア２７の通気用隙間２８から浴室２５内に吸い込まれるのであるが、このように浴室２５に設けた換気装置２６を運転した際、脱衣室２４に配置した静電霧化装置５が同時に運転され、静電霧化装置５でナノメータサイズの帯電微粒子水を生成されて脱衣室２４内に放出されるのであるが、脱衣室２４内に放出されたナノメータサイズの帯電微粒子水は上記脱衣室２４から浴室ドア２７の通気用隙間２８を介して浴室２５内に流れ込む空気流に乗って脱衣室２４から浴室２５内に流れ込んで浴室２５内に拡散し、ナノメータサイズの帯電微粒子水は活性種を有しているため該活性種により脱衣室２４、浴室２５内における脱臭、カビや菌の殺菌や繁殖の抑制を行うものであり、しかも、ナノメータサイズの帯電微粒子水には活性種が水に包み込まれるようにして存在するので、遊離基単独で存在する場合より、寿命が長く、また、水分子に包み込まれるようにして存在する帯電微粒子水はナノメータサイズと非常に小さいので空気中に長時間浮遊すると共に拡散性が高く、脱衣室２４、浴室２５内の広い範囲に拡散して長時間にわたって浮遊し、活性種により脱衣室２４、浴室２５の脱臭効果、カビや菌の除菌や繁殖の抑制効果を高めることができるものであり、また、浴室２５内に静電霧化装置５を設置する場合には特別な防水、防湿構造が必要となるが、脱衣室２４内に静電霧化装置５を設置して浴室２５内の脱臭、防カビを行うものであるから、特別な防水、防湿構造にする必要がない。
【０００８】
また、浴室ドア２７の脱衣室２４側の面に静電霧化装置５を取付けることが好ましい。
【０００９】
このような構成とすることで、浴室２５の換気装置２６の運転に連動して運転する静電霧化装置５で発生させたナノメータサイズの帯電微粒子水を浴室ドア２７の通気用隙間２８を介してより効果的に浴室２５内に流入させることができ、浴室２５内における脱臭効果、カビや菌の殺菌や繁殖の抑制効果をよりいっそう高めることができる。
【００１０】
また、換気装置２６の運転停止状態において静電霧化装置５をオン、オフするための静電霧化装置５用のスイッチ２９を設けることが好ましい。
【００１１】
このような構成とすることで、浴室２５に設けた換気装置２６を運転していない状態で静電霧化装置５を運転してナノメータサイズの帯電微粒子水を脱衣室２４のみに重点的に拡散させて脱臭すると共にカビや菌の殺菌や繁殖の抑制を行うことができる。
【００１２】
また、水粒子放出部１に水を供給するための水供給手段３が空気中の水分を結露させることで水の供給を行う結露水生成装置１４であることが好ましい。
【００１３】
このように、結露水生成装置１４で空気中の水分を結露させて水粒子放出部１に水を供給するものであるから、人手で静電霧化装置５に水を供給する手間が省けるものである。
【００１４】
また、結露水生成装置１４で生成する単位時間当たりの結露水の生成量を、静電霧化装置５で生成される単位時間当たりのナノメータサイズの帯電微粒子水の生成量よりも多くすることが好ましい。
【００１５】
このような構成とすることで、結露水生成装置１４により空気中の水分を結露させて静電霧化装置５で使用される分の水を供給するだけでなく、湿度を低下させて除湿をすることができ、これによりカビや菌の繁殖抑制効果がより向上するものである。
【００１６】
また、ファン１５により吸気口から空気を吸い込んで放出口９から室内に吐出するようにした流路１７を形成し、該流路１７に上流側から下流側にかけて順にフィルタ１８、静電霧化装置５を配置することが好ましい。
【００１７】
このような構成とすることで、フィルタ１８で浄化した空気流れに乗って静電霧化装置５で発生したナノメータサイズの帯電微粒子水が遠くまで拡散するのであるが、浄化された空気の流れに乗って広がるためナノメータサイズの帯電微粒子水が直ぐに汚れた空気と接触せず、遠くまで浄化された空気に乗って拡散し、このためにナノメータサイズの帯電微粒子水が有している活性種によるところの脱臭効果、カビや菌の繁殖抑制効果が広範囲において発揮でき、特に、静電霧化装置５を脱衣室２４内に設置してあるといえども浴室２５の広い範囲で脱臭、カビや菌の繁殖抑制をすることができるものである。また、水供給手段が結露水生成装置１４の場合、清浄化された空気中の水分を結露水生成手段で結露水として生成させて不純物を含まない清浄な水である結露水からナノメータサイズの帯電微粒子水を生成するので、ナノメータサイズの帯電微粒子水による脱臭効果を低下させないものである。
【発明の効果】
【００１８】
本発明は、浴室の換気装置の運転に脱衣室に配置した静電霧化装置の運転を連動させるので、静電霧化装置で発生させて脱衣室内に放出されたナノメータサイズの帯電微粒子水を換気装置による脱衣室から浴室に流れる空気流に乗って浴室内に流れ込ませることができ、ナノメータサイズの帯電微粒子水に含まれる活性種により脱衣室、浴室内の脱臭、カビや菌の殺菌、繁殖抑制を効果的に行うことができ、更に、脱衣室内に静電霧化装置を設置して浴室内の脱臭、防カビを行うものであるから、浴室内の脱臭、カビや菌の殺菌、繁殖抑制を効果的に行うにもかかわらず、浴室内に設置するもののように特別な防水、防湿構造にする必要がないという効果がある。
【発明を実施するための最良の形態】
【００１９】
以下、本発明を添付図面に示す実施形態に基いて説明する。
【００２０】
脱衣室２４と浴室２５との間の間仕切り壁には脱衣室２４から浴室２５に出入するための浴室ドア２７が開閉自在に設けてある。浴室ドア２７にはガラリのような通気用隙間２８が設けてあり、この浴室ドア２７に設けた通気用隙間２８を介して脱衣室２４空間と浴室２５空間とが連通している。脱衣室２４には後述の静電霧化装置５が配置してあり、また、浴室２５には浴室２５内の換気をするための換気装置２６が設けてある。
【００２１】
静電霧化装置５を脱衣室２４内に配置するに当たっては、図１、図２のように浴室ドア２７の脱衣室２４側の面に取付けるか、又は、図３のように浴室ドア２７に隣接して配置するのが好ましい。
【００２２】
静電霧化装置５はケース３０内に内装してある。ケース３０内には空気が流れる流路が形成してあり、該流路の両端がケース３０に設けた吸気口１６と放出口９となっており、この流路にはフィルタ、ファン、静電霧化装置５が配置してある。
【００２３】
静電霧化装置５は、一対の電極として機能する水粒子放出部１および対向電極２と、前記水粒子放出部１に水を供給するための水供給手段３と、水粒子放出部１と対向電極２との間に高電圧を印加する電圧印加部４とを備えたもので、水粒子放出部１と対向電極２との間に高電圧を印加することで水粒子放出部１の水からナノメータサイズの帯電微粒子水（ミストＭ）を生成するものである。
【００２４】
図４に示す静電霧化装置５の例では、液溜め部１０と、下端が液溜め部１０内に入れられた水に浸される多孔質材からなる棒状の搬送部１１と、これら搬送部１１の保持及び水に対する電圧の印加のための液印加電極２１と、前記搬送部１１の先端部の水粒子放出部１と対向する対向電極２と、上記液印加電極２１と対向電極２との間に高電圧を印加する電圧印加部４とからなる。
【００２５】
対向電極２と液印加電極２１は共にカーボンのような導電材を混入した合成樹脂やＳＵＳのような金属で形成してある。
【００２６】
搬送部１１は多孔質材で棒状に形成するもので、本実施形態では粒径が２〜５００μｍのセラミック粒子からなり、その隙間の細孔が１〜２５０μｍで連続気泡状に配置されるように形成してある。搬送部１１の上端は針状に尖った水粒子放出部１となっており、搬送部１１の上部が液印加電極２１よりも上方に突出し、下部が液印加電極２１から下方に突出して上記液溜め部１０内に入れられた水と接触するようになっており、本例では、水粒子放出部１に水を供給するための水供給手段３を、水を収容した水タンクよりなる液溜め部１０と、下部が液溜め部１０内に配置された多孔質セラミック等の搬送部１１とで構成してある。
【００２７】
対向電極２は接地してあり、液印加電極２１に電圧印加部４を接続して高電圧を印加すると共に、多孔質材で形成されている搬送部１１が毛細管現象により液溜め部１０に入れてある水を吸い上げている時、搬送部１１の上端の水粒子放出部１が液印加電極２１側の実質的な電極として機能する。電圧印加部４としては、電解強度が５００Ｖ／ｍｍ以上、特に７００〜１２００Ｖ／ｍｍの電解強度を与えることができるものが好ましい。
【００２８】
そして、電圧印加部４により搬送部１１と対向電極２との間に高電圧を印加することで、水粒子放出部１の水Ｗが高電圧により大きなエネルギーを受けて表面張力を超えて分裂を繰り返すといういわゆるレイリー分裂を起こしてナノメータサイズの粒子径のイオンのミスト（例えば１０〜３０ナノメータ）を発生させる静電霧化がなされ、この時、同時に生成された反応性に富む活性種（ヒドロキシラジカル、スーパーオキサイド等の脱臭・除菌の源となる物質）が、分裂した水に包まれ空気中に飛び出す。このようにして、水粒子放出部１から活性種を含んだナノメータサイズの帯電微粒子水（ミストＭ）を発生させるものである。
【００２９】
図５には静電霧化装置５の他の実施形態が示してあり、本実施形態では水粒子放出部１に水を供給するための水供給手段３を結露水生成装置１４により構成してあり、結露水生成装置１４により空気中の水分を結露させて生成した結露水を水粒子放出部１に供給するようにしている。
【００３０】
結露水生成装置１４は空気中の水分を冷却手段で結露させて結露水を生成するようにしたもので、冷却手段としては例えばペルチェ素子（熱電素子）を挙げることができる。以下ペルチェ素子を用いた例を説明する。ペルチェユニットの放熱部４０と冷却部４１とを備えた水供給手段３が設けてある。
【００３１】
ペルチェユニットは、熱伝導性の高いアルミナや窒化アルミニウムから成る絶縁板Ｚの片面側に回路を形成してある一対のペルチェ回路板Ｐ（Ｐ１，Ｐ２）を、互いの回路側が向い合うように対向させ、多数列設してある熱電素子Ｎを両ペルチェ回路板Ｐ１，Ｐ２間で挟持するとともに隣接する熱電素子Ｎ同士を両側の回路で電気的に接続させ、ペルチェ入力リード線Ｌを介してペルチェユニット用電源４２にて為される熱電素子Ｎへの通電により一方のペルチェ回路板Ｐ１側から他方のペルチェ回路板Ｐ２側に向けて熱が移動するように設けたもので、前記一方のペルチェ回路板Ｐ１を冷却部４１側に接続するとともに他方のペルチェ回路板Ｐ２を放熱部４０側に接続する。本例では図５に示すように、ペルチェ回路板Ｐ２を設けた絶縁板Ｚを放熱部４０としての放熱フィンに接続するとともに、ペルチェ回路板Ｐ１を設けた絶縁板Ｚを後述する冷却部４１に接続するものである。
【００３２】
冷却部４１は、内部に結露水Ｗを溜めることができる液溜め部１０が形成されるように上方に開口する略皿状に形成してあり、この冷却部４１の内部上面に液印加電極２１が設けてある。
【００３３】
液印加電極２１は、上端部が水粒子放出部１となるもので、多孔質材で形成されるか微細孔や微細溝（図５の例では微細孔４３）を有しており、その下端部の冷却部４１に貯水されている結露水Ｗを毛細管現象にて放電部となる上端部の水粒子放出部１まで搬送可能な搬送部１１となるようにしてある。また、水粒子放出部１を金属で形成したり金属製の表面膜を形成したりして表面の熱伝導性を高く形成するとともに冷却部４１に熱的に接続されるように取付けることで、水粒子放出部１の表面に直接結露水Ｗを結露させるようにしてもよい。またあるいは、上端部が水粒子放出部１となる多孔質セラミック等からなる搬送部１１に液印加電極２１を設けてもよい。
【００３４】
また、冷却部４１には図５に示すようにオーバーフロー孔Ｏが設けてあり、内部に溜められた結露水Ｗが一定水位以上となった時に前記オーバーフロー孔Ｏを介して余剰水を下部の余剰水貯水タンクＴへ排出することができる。
【００３５】
本実施形態のように水供給手段３を構成する結露水生成装置１４により空気中の水分を結露させて生成した結露水を水粒子放出部１に供給するようにすることで、使用者の水補給作業が必要でなく、使い勝手が非常に良くなるものである。
【００３６】
上記各実施形態で示した静電霧化装置５は、浴室２５に設けた換気装置２６を運転すると該換気装置２６の運転に連動して同時に静電霧化装置５が運転するように構成してある。
【００３７】
図７には本発明の制御ブロックが示してあり、また、図８には制御回路図の一例が示してある。図中３２は換気装置２６運転用のスイッチ、２９は静電霧化装置５運転用のスイッチであり、また、２０は制御部、３３は電源である。換気装置２６のスイッチ３２をオンにすると、スイッチ３４、３５がいずれもオンとなるように制御部２０により制御され、これにより換気装置２６が運転すると共に静電霧化装置５が運転する。また、換気装置２６のスイッチ３２をオフにすると、スイッチ３４、３５がいずれもオフとなるように制御部２０により制御され、これにより換気装置２６の運転が停止すると共に静電霧化装置５の運転が停止する。
【００３８】
一方、静電霧化装置５のスイッチ２９をオンにすると、スイッチ３５のみがオンとなるように制御部２０により制御され（この場合スイッチ３４はオフのままである）、静電霧化装置５のみが運転する。また、静電霧化装置５のスイッチ２９をオフにすると、スイッチ３５がオフとなるように制御部２０により制御され、静電霧化装置５の運転が停止する。
【００３９】
しかして、換気装置２６運転用のスイッチ３２をオンにすると、換気装置２６が運転して浴室２５内の空気が屋外に排気されると共に脱衣室２４内の空気が浴室ドア２７の通気用隙間２８から浴室２５内に吸い込まれる。この場合、換気装置２６運転用のスイッチ３２をオンにすると脱衣室２４に配置した静電霧化装置５が同時に運転され、静電霧化装置５からナノメータサイズの帯電微粒子水を生成されて脱衣室２４内に放出される。脱衣室２４内に放出されたナノメータサイズの帯電微粒子水は上記脱衣室２４から浴室ドア２７の通気用隙間２８を介して浴室２５内に流れ込む空気流に乗って脱衣室２４から浴室２５内に流れ込んで浴室２５内に拡散することになる。ナノメータサイズの帯電微粒子水は活性種を有しているため該活性種により脱衣室２４、浴室２５内における脱臭、カビや菌の殺菌や繁殖の抑制を行うものであり、しかも、ナノメータサイズの帯電微粒子水には活性種が水に包み込まれるようにして存在するので、遊離基単独で存在する場合より、寿命が長く、また、水分子に包み込まれるようにして存在する帯電微粒子水はナノメータサイズと非常に小さいので空気中に長時間浮遊すると共に拡散性が高く、脱衣室２４、浴室２５内の広い範囲に拡散して長時間にわたって浮遊し、活性種により脱衣室２４、浴室２５の脱臭効果、カビや菌の除菌や繁殖の抑制効果を高めることができるものであり、また、浴室２５内に静電霧化装置５を設置する場合には特別な防水、防湿構造が必要となるが、脱衣室２４内に静電霧化装置５を設置して浴室２５内の脱臭、防カビを行うものであるから、特別な防水、防湿構造にする必要がない。
【００４０】
以下に臭気とナノメータサイズの帯電微粒子水に含まれた活性種の脱臭反応式を示す。
【００４１】
アンモニア          2NH3+6・OH→N2+6H2O
アセトアルデヒド    CH3CHO+6・OH+O2→2CO2+5H2O
酢酸                CH3COOH+4・OH+O2→2CO2+4H2O
メタンガス          CH４+4・OH+O2→CO2+４H2O
一酸化炭素          CO+2・OH→CO2+H2O
一酸化窒素          2NO+4・OH→N2+2O2+2H2O
ホルムアルデヒド    HCHO+4・OH→CO2+3H2O
なお、上記脱臭反応式において、・OHはヒドロキシラジカルを示す。
【００４２】
上記のようにして浴室２５に設けた換気装置２６の運転に連動して脱衣室２４内に配置した静電霧化装置５を運転することで、脱衣室２４内に配置した静電霧化装置５で生成するナノメータサイズの帯電微粒子水を脱衣室２４から浴室２５内に飛散させて、脱衣室２４、浴室２５内の脱臭、殺菌、防カビを行うことができる。
【００４３】
ここで、実施形態のように、静電霧化装置５を浴室ドア２７の脱衣室２４側の面に取付けるか、又は、浴室ドア２７に隣接して配置する場合には、静電霧化装置５から脱衣室２４内に放出されたナノメータサイズの帯電微粒子水の多くが上記空気流れに乗って浴室２５に効果的に流れることになり、浴室２５内の脱臭、殺菌、防カビを効果的に行うことができる。また、静電霧化装置５を脱衣室２４内の浴室ドア２７の近傍から離れた位置に配置すると、脱衣室２４内に放出されたナノメータサイズの帯電微粒子水の一部が浴室２５内に流れ込む。このため、浴室２５内の脱臭、殺菌、防カビ効果は静電霧化装置５を浴室ドア２７に直接または隣接して設ける場合に比べて劣るが、脱衣室２４内も同時に脱臭、殺菌、防カビできる。
【００４４】
一方、換気装置２６を運転していない時に、静電霧化装置５のみを運転すると、脱衣室２４を重点的に脱臭、殺菌、防カビすることもできる。この場合には、換気装置２６が運転停止しているので、静電霧化装置５から脱衣室２４内に放出されたナノメータサイズの帯電微粒子水はその殆どが脱衣室２４内に浮遊し、脱衣室２４を重点的に脱臭、殺菌、防カビすることになる。
【００４５】
また、水供給手段３を結露水生成装置１４により構成した静電霧化装置５を用いた場合、結露水を発生させるに当たって、静電霧化装置５で使用するのに必要な程度の水量の結露水以上の結露水を生成させるようにしてもよいものであり、この場合は、静電霧化装置５で使用する以上の結露水を空気中の水分から得るので脱衣室２４内を除湿することが可能となり、除湿することで生成された結露水は余剰水としてオーバーフロー孔Ｏを介して余剰水貯水タンクＴへ排出される。
【００４６】
ここで、ペルチェユニット用電源４２からの熱電素子Ｎへの通電量が少ない静電霧化装置５で使用する結露水のみを生成して水の補給をする水補給モード（つまり、結露水生成装置１４で生成する単位時間当たりの結露水の生成量を、静電霧化装置５で生成される単位時間当たりのナノメータサイズの帯電微粒子水の生成量と同等又は略同等となるように通電量が制御される水補給モード）と、ペルチェユニット用電源４２からの熱電素子Ｎへの通電量が多い除湿モード（つまり、結露水生成装置１４で生成する単位時間当たりの結露水の生成量を、静電霧化装置５で生成される単位時間当たりのナノメータサイズの帯電微粒子水の生成量よりも多くなるように通電量が制御される除湿モード）とを設け、両モードを切り換え自在としてもよい。
【００４７】
水補給モードで運転した場合には、結露水を生成し、これをナノメータサイズの帯電微粒子水として脱衣室２４内に放出するので、脱衣室２４内の湿度は殆ど変化はないが、除湿モードにすると、結露水生成装置１４で生成する単位時間当たりの結露水の生成量が、静電霧化装置５で生成される単位時間当たりのナノメータサイズの帯電微粒子水の生成量よりも多くなって、脱衣室２４内の湿度を低下させることができる。この除湿モードとしては、水粒子放出部１と対向電極２との間に電圧印加部４から高電圧を印加する場合と、印加しない場合とがあり、前者の場合にはナノメータサイズの帯電微粒子水を生成して脱衣室２４内に放出することと脱衣室２４内の除湿とが同時に行われ、後者の場合には脱衣室２４内の除湿のみが行われ、目的に応じて切り換えて運転することができる。
【００４８】
また、結露水生成装置１４で生成する単位時間当たりの結露水の生成量を、静電霧化装置５で生成される単位時間当たりのナノメータサイズの帯電微粒子水の生成量と同等又は略同等としたモードという１つのモードしか有しない場合であっても、静電霧化装置５の運転を停止した状態で結露水生成装置１４のみに通電した場合には、室内の除湿をすることができる。
【００４９】
また、上記いずれの実施形態においても、ケース３０に設けた流路１７にフィルタ１８、静電霧化装置５を配置するに当たって、フィルタ１８を静電霧化装置５の上流側に配置するのが好ましい。図６には流路１７の一端の吸気口１６にフィルタ１８を設けた例が示してある。このようにフィルタ１８を静電霧化装置５の上流側に配置することで、静電霧化装置５への空気中のほこりや微粒子の侵入を防ぎ、更に、フィルタ１８で浄化した空気流れに乗って静電霧化装置５で発生したナノメータサイズの帯電微粒子水が放出口９から脱衣室２４内に放出するので、ナノメータサイズの帯電微粒子水が直ぐに汚れた空気と接触せず、遠くまで浄化された空気に乗って拡散し、このためにナノメータサイズの帯電微粒子水が有している活性種によるところの室内空気中の臭気成分や室内壁面への付着物に対する脱臭機能が有効に働き広範囲において脱臭することができることになる。また、前述のように水供給手段を空気中の水分を結露させる結露水生成装置１４により構成した場合、図６に示すように、流路１７の上流側から下流側にかけて順にフィルタ１８、ファン１５、結露水生成装置１４、静電霧化装置５を配置することで、空気中の不快な臭い成分を事前に除去して結露水への溶存を防止し、結露水生成装置１４で清浄な結露水を生成させて、この清浄な水である結露水からナノメータサイズの帯電微粒子水を生成するので、ナノメータサイズの帯電微粒子水自体が浄化されたものであって、脱臭効果を低下させない。
【００５０】
なお、フィルタ１８としては空気中の塵埃を除去する微細網目の除塵フィルタ１８ａと、活性炭や酸化触媒等の脱臭フィルタ１８ｂとを併用して用いてある。
【図面の簡単な説明】
【００５１】
【図１】本発明の静電霧化装置を脱衣室内に設置した一実施形態の斜視図である。
【図２】同上の断面図である。
【図３】同上の静電霧化装置を脱衣室内に設置した他の実施形態の斜視図である。
【図４】同上に用いる静電霧化装置の一実施形態の概略構成図である。
【図５】同上に用いる静電霧化装置の他の実施形態の概略構成図である。
【図６】（ａ）は同上の更に他の実施形態の空気の流れを示す説明図であり、（ｂ）は同上の概略構成図である。
【図７】同上の制御ブロック図である。
【図８】同上の制御回路図である。
【符号の説明】
【００５２】
１  水粒子放出部
２  対向電極
３  水供給手段
４  電圧印加部
５  静電霧化装置
９  放出口
１４  結露水生成装置
１５  ファン
１７  流路
１８  フィルタ
２４  脱衣室
２５  浴室
２６  換気装置
２７  浴室ドア
２８  通気用隙間
２９  スイッチ
【図１】
2006061408.tif 000003
【図２】
2006061408.tif 000004
【図３】
2006061408.tif 000005
【図４】
2006061408.tif 000006
【図５】
2006061408.tif 000007
【図６】
2006061408.tif 000008
【図７】
2006061408.tif 000009
【図８】
2006061408.tif 000010